(57)【要約】【課題】操作感触がばらつき難く、オーバーストロークに対応することができる可動接点部材および可動接点部材を用いたスイッチ装置を提供する。【解決手段】可動接点部材１は、膨出して形成されたドーム部１ａと、ドーム部１ａの外縁部に設けられドーム部１ａを支持する脚部１ｂと、操作に応じて移動可能な接触部１ｃと、を有する可動接点部材であり、ドーム部１ａは頂部に開口部１ｄを有しており、接触部１ｃは、膨出する方向からの平面視で開口部１ｄの中央位置に配置されるとともに、ドーム部１ａに撓み変形可能な連結部１ｅにより連結され、ドーム部１ａの内方へ突出している構成とした。操作感触がばらつき難く、オーバーストロークに対応することができる可動接点部材１を用いたスイッチ装置は、可動接点部材１と、可動接点部材１と電気的に接続可能な固定接点部を備えた基板と、を有する、構成とした。【選択図】図３
2014220130.tif 000002
【特許請求の範囲】
【請求項１】
膨出して形成されたドーム部と、
前記ドーム部の外縁部に設けられ前記ドーム部を支持する脚部と、
操作に応じて移動可能な接触部と、を有する可動接点部材であり、
前記ドーム部は頂部に開口部を有しており、
前記接触部は、前記膨出する方向からの平面視で前記開口部の中央位置に配置されるとともに、前記ドーム部に撓み変形可能な連結部により連結され、前記ドーム部の内方へ突出していることを特徴とする可動接点部材。
【請求項２】
前記脚部は、所定の間隔で配置された２つが対を成し、２組形成されており、
前記連結部は、桟状に形成された複数の腕部からなることを特徴とする請求項１に可動接点部材。
【請求項３】
前記ドーム部は、前記膨出する方向からの平面視で円形状であり、前記開口部と前記ドーム部との境界部である前記開口部の外方部は、前記ドーム部の円形状に相似した円弧形状となっていることを特徴とする請求項１または請求項２に記載の可動接点部材。
【請求項４】
請求項１ないし請求項３に記載の可動接点部材と、
前記可動接点部材と電気的に接続可能な固定接点部を備えた基板と、を有するスイッチ装置。
【発明の詳細な説明】
【技術分野】
【０００１】
本発明は、可動接点部材および可動接点部材を用いたスイッチ装置に関し、特に、操作感触がばらつき難く、オーバーストロークに対応することができる可動接点部材および可動接点部材を用いたスイッチ装置に関するものである。
【背景技術】
【０００２】
電気機器に用いられるスイッチ装置において、確実なスイッチングができ、明確な操作感触のあるスイッチ装置が求められている。このようなスイッチ装置としては、オーバーストロークに対応したスイッチ装置が用いられることが多い。オーバーストロークに対応していないスイッチ装置においては、可動接点部材が押圧され、反転動作を行なった後（操作感触を発生させた後）に可動接点部材と固定接点部とが接触し、電気的なスイッチングが行なわれる。オーバーストロークに対応したスイッチ装置においては、可動接点部材が押圧され、反転動作を行なう前に可動接点部材と固定接点部とが接触し、電気的なスイッチングが行なわれる。その後、更に可動接点部材を押圧することで、可動接点部材が反転動作する（操作感触を発生させる）構造となっている。このような構造とすることで、可動接点部材と固定接点部とはより長い時間接触することとなり、確実なスイッチングが行なえ、明確な操作感触も得ることができる。なお、電気的なスイッチングを行なった後に、操作感触を発生させる構造となっているスイッチ装置を、オーバーストロークに対応したスイッチ装置とする。このようなオーバーストロークに対応したスイッチ装置としては、下記の特許文献１に記載のスイッチ装置およびスイッチ装置に用いられている可動接点部材が知られている。
【０００３】
以下、図１２を用いて、特許文献１に記載のスイッチ装置について説明する。図１２は、特許文献１に記載のスイッチ装置９００の外観を示す図であり、図１２（ａ）はスイッチ装置９００の外観を示す平面図であり、図１２（ｂ）はスイッチ装置９００の外観を示す側面図である。
【０００４】
特許文献１に記載のスイッチ装置９００は、ドーム状に形成された薄板（可動接点部材）９０３と、電気回路が形成された絶縁基板９０２と、を有している。薄板９０３は外周端部から外方へ突出した４本の脚部９１５（９１５ａ、９１５ｂ、９１５ｃ、９１５ｄ）が等間隔に配置されている。対向して配置された脚部９１５ａと脚部９１５ｄとの長さは同じであり、同様に対向して配置された脚部９１５ｂと脚部９１５ｃとの長さは同じである。しかし、脚部９１５ａと脚部９１５ｄとの長さは、脚部９１５ｂと脚部９１５ｃとの長さよりも長く形成されている。
【０００５】
絶縁基板９０２は、第１固定接点部９０６ａと第２固定接点部９０６ｂと第３固定接点部９０６ｃとを備えた導電ゾーン９０６と、第４固定接点部９０７ｄを備えた導電ゾーン９０７と、が一方の面に電気回路として形成されている。第１固定接点部９０６ａ、第２固定接点部９０６ｂ、第３固定接点部９０６ｃおよび第４固定接点部９０７ｄはそれぞれ離間して配置され、電位気的に絶縁されている。また、第１固定接点部９０６ａ、第２固定接点部９０６ｂ、第３固定接点部９０６ｃおよび第４固定接点部９０７ｄは同一円の上となるように配置され、第２固定接点部９０６ｂと第３固定接点部９０６ｃとが対向する位置に配置され、第１固定接点部９０６ａと第４固定接点部９０７ｄとが対向する位置に配置されている。また、第２固定接点部９０６ｂと第３固定接点部９０６ｃとを結ぶ直線と、第１固定接点部９０６ａと第４固定接点部９０７ｄとを結ぶ直線と、は直交している。
【０００６】
薄板９０３は絶縁基板９０２の上に配置され、未操作時には第１固定接点部９０６ａに接触して脚部９１５ａが配置されるとともに、第４固定接点部９０７ｄに接触して脚部９１５ｄが配置され、第１固定接点部９０６ａと第４固定接点部９０７ｄとは薄板９０３を介して電気的に接続されている。なお、脚部９１５ａと脚部９１５ｄとは、脚部９１５ｂと脚部９１５ｃとの長さより長いため、脚部９１５ｃは第３固定接点部９０６ｃの上方に離間して配置されるとともに、脚部９１５ｂは第２固定接点部９０６ｂの上方に離間して配置されている。以下、脚部９１５ｂと脚部９１５ｃとを可動脚部、脚部９１５ａと脚部９１５ｄとを固定脚部、とよぶ。
【０００７】
駆動体９０４を用いて薄板９０３を上から押圧操作を行なうと、薄板９０３は下方へ撓み、薄板９０３が下方へ撓むことで、脚部９１５ｃは第３固定接点部９０６ｃと接触し、脚部９１５ｂは第２固定接点部９０６ｂと接触する。これにより薄板９０３を介して新たな電気的な接続が得られ、出力することができる。このように新たな電気的な接続が得られたのちも更に薄板９０３を押圧操作することができ、更に押圧操作すると薄板９０３は反転動作を行ない、操作者に反転時の瞬間的な作動力の変化を操作感触として伝えることができる。すなわち、オーバーストロークに対応することができる。
【先行技術文献】
【特許文献】
【０００８】
【特許文献１】特開２００１−６７９８９号公報
【発明の概要】
【発明が解決しようとする課題】
【０００９】
このように、特許文献１に記載のスイッチ装置９００は、薄板９０３を脚部９１５ａと脚部９１５ｄとで支持した状態から、薄板９０３を押圧して脚部９１５ａ、脚部９１５ｂ、脚部９１５ｃおよび脚部９１５ｄとで支持する状態になることでスイッチングが行なわれる構造である。したがって、スイッチングが行なわれるタイミングを遅らせたい場合には、固定脚部の長さと可動脚部の長さの差をより大きくする必要がある。この長さの差が大きくなると、押圧操作の途中で薄板９０３が傾くなどして各脚部９１５の撓み具合が異なり、スイッチングの動作を行なう時の操作感触がばらつくことが懸念される。
【００１０】
本発明は、上述した課題を解決して、操作感触がばらつき難く、オーバーストロークに対応することができる可動接点部材および可動接点部材を用いたスイッチ装置を提供するものである。
【課題を解決するための手段】
【００１１】
請求項１に記載の可動接点部材においては、膨出して形成されたドーム部と、前記ドーム部の外縁部に設けられ前記ドーム部を支持する脚部と、操作に応じて移動可能な接触部と、を有する可動接点部材であり、前記ドーム部は頂部に開口部を有しており、前記接触部は、前記膨出する方向からの平面視で前記開口部の中央位置に配置されるとともに、前記ドーム部に撓み変形可能な連結部により連結され、前記ドーム部の内方へ突出している、という特徴を有する。
【００１２】
請求項２に記載の可動接点部材においては、前記脚部は、所定の間隔で配置された２つが対を成し、２組形成されており、前記連結部は、桟状に形成された複数の腕部からなる、という特徴を有する。
【００１３】
請求項３に記載の可動接点部材においては、前記ドーム部は、前記膨出する方向からの平面視で円形状であり、前記開口部と前記ドーム部との境界部である前記開口部の外方部は、前記ドーム部の円形状に相似した円弧形状となっている、という特徴を有する。
【００１４】
請求項４に記載の可動接点部材を用いた可動接点部材においては、請求項１ないし請求項３に記載の可動接点部材と、前記可動接点部材と電気的に接続可能な固定接点部を備えた基板と、を有する、という特徴を有する。
【発明の効果】
【００１５】
請求項１の発明によれば、脚部はドーム部を保持する機能に特化することで、脚部の長さを長くした場合にも安定してドーム部を保持することができ、ドーム部の傾きによる操作感触のバラツキが発生し難い。また、接触部をドーム部の中央位置に設け、ドーム部の内方へ突出して形成することで、可動接点部材を押圧操作したときに、接触部が接触した後に連結部およびドーム部が撓み、ドーム部が反転するため、オーバーストロークに対応することができる。したがって、操作感触がばらつき難く、オーバーストロークに対応することができる可動接点部材を提供することができる、という効果を奏する。
【００１６】
請求項２の発明によれば、このように脚部を配置することで、ドーム部をバランスよく支持することができる。また、複数の腕部で接触部を支持することで、接触部をバランスよく支持することができる。したがって、押圧操作時の姿勢がより安定し操作感触のばらつきが発生し難くなる、という効果を奏する。
【００１７】
請求項３の発明によれば、開口部の外方部を前記ドーム部の円形状に相似した円弧形状とすることで、押圧操作時に応力が特定の箇所に集中し難くなり、応力集中による操作感触のばらつきを低減することができる、という効果を奏する。
【００１８】
請求項４の発明によれば、操作感触がばらつき難く、オーバーストロークに対応可能なスイッチ装置を提供することができる、という効果を奏する。
【００１９】
以上より、本発明によれば、操作感触がばらつき難く、オーバーストロークに対応することができる可動接点部材および可動接点部材を用いたスイッチ装置を提供することができる。
【図面の簡単な説明】
【００２０】
【図１】本実施形態におけるスイッチ装置１００の外観を示す模式図である。
【図２】本実施形態におけるスイッチ装置１００の構成を示す模式断面図である。
【図３】本実施形態における可動接点部材１の概観を示す図である。
【図４】本実施形態における基板２および固定接点部３の外観を示す図である。
【図５】本実施形態における駆動体４の外観を示す図である。
【図６】本実施形態における保持シート５の外観を示す図である。
【図７】駆動体４が押圧操作され、接触部１ｃと第２固定接点部３ｂとが接触した状態のスイッチ装置１００を示す模式断面図である。
【図８】図７に示す状態からさらに駆動体４が押圧操作され、ドーム部１ａが反転した状態のスイッチ装置１００を示す模式断面図である。
【図９】本実施形態における可動接点部材１の変形例の一つを示す平面図である。
【図１０】本実施形態における可動接点部材１の変形例の一つを示す平面図である。
【図１１】本実施形態における可動接点部材１の変形例の一つを示す平面図である。
【図１２】特許文献１に記載のスイッチ装置９００の外観を示す図である。
【発明を実施するための形態】
【００２１】
［第１実施形態］
以下に本実施形態における可動接点部材１を用いたスイッチ装置１００について説明する。
【００２２】
まず始めに本実施形態におけるスイッチ装置１００の構成について図１ないし図６を用いて説明する。図１は本実施形態におけるスイッチ装置１００の外観を示す模式図である。図２は本実施形態におけるスイッチ装置１００の構成を示す模式断面図である。図２においては、説明を容易にするため、実際の形状や断面と異なる部分もある。図３は本実施形態における可動接点部材１の外観を示す図であり、図３（ａ）は図２に示すＺ１方向側から見た状態の可動接点部材１の外観を示す平面図であり、図３（ｂ）は図３（ａ）に示す断面Ａ−Ａを示す断面図である。なお、図３（ｂ）においては説明を容易にするため、連結部１ｅの断面も模式的に図示している。図４は本実施形態における基板２および固定接点部３の外観を示す図であり、図４（ａ）は基板２および固定接点部３の外観を示す平面図であり、図４（ｂ）は図４（ａ）に示すＸ２方向側から見た状態の基板２および固定接点部３の外観を示す側面図である。図５は本実施形態における駆動体４の外観を示す図であり、図５（ａ）は駆動体４の外観を示す平面図であり、図５（ｂ）は図５（ａ）に示すＹ２方向側から見た状態の駆動体４の外観を示す側面図である。図６は本実施形態における保持シート５の外観を示す図であり、図６（ａ）は保持シート５の外観を示す平面図であり、図６（ｂ）は図６（ａ）に示す断面Ｂ−Ｂを示す断面図である。
【００２３】
スイッチ装置１００は、図２に示すように、弾性および導電性を有する可動接点部材１と、可動接点部材１と電気的に接続可能な固定接点部３を備えた基板２と、可動接点部材１を押圧する駆動体４と、可動接点部材１を基板２に保持する保持シート５と、カバー部材６と、を有する。
【００２４】
可動接点部材１は、弾性および導電性を有する金属板からなり、図３に示すように、膨出して形成されたドーム部１ａと、ドーム部１ａの外縁部に設けられドーム部１ａを支持する脚部１ｂと、操作に応じて移動可能な接触部１ｃと、を有している。
【００２５】
ドーム部１ａは、膨出する方向（Ｚ１方向）からの平面視で円形状であり、頂部に開口部１ｄを有している。開口部１ｄとドーム部１ａとの境界部である開口部１ｄの外方部１ｇは、ドーム部１ａの円形状に相似した円弧形状となっている。
【００２６】
脚部１ｂは、ドーム部１ａの外延部から外方へ延出して４つ形成されている。脚部１ｂは、所定の間隔で配置された２つが対を成し、２組形成されている。なお、本実施形態においては、所定の間隔を脚部１ｂの先端同士の距離寸法（図３に示すＤＳ）で規定しており、ドーム部１ａの直径以下の寸法とすることが望ましく、所定の間隔をドーム部１ａの直径の寸法とほぼ同一としている。また、脚部１ｂの先端は、可動接点部材１をＺ１方向側から平面視したときに、ドーム部１ａの外形の中心（図３に示す点ＣＰ）と同じ中心の仮想の同一円の上に位置し、脚部１ｂの対同士は点対称の位置に配置されている。
【００２７】
接触部１ｃは、ドーム部１ａが膨出する方向からの平面視で開口部１ｄの中央位置に配置されるとともに、撓み変形可能な連結部１ｅによりドーム部１ａに連結され、ドーム部１ａの内方（Ｚ２方向）へ突出している。すなわち、接触部１ｃはドーム部１ａの開口部１ｄが形成された頭頂部よりも下方（Ｚ２方向側）に位置している。また、連結部１ｅは、桟状に形成された複数の腕部１ｆからなる。本実施形態においては、接触部１ｃの周囲に等間隔に３つの腕部１ｆが配置され、放射線状に延出して形成されている。
【００２８】
基板２は、リジット基板（紙フェノール基板）であり、図４に示すように、長方形の平板状に形成されている。基板２の上面には導電性インクを印刷し、焼成してなる固定接点部３が形成されている。固定接点部３は、円環状に形成され可動接点部材１の脚部１ｂと接触可能な第１固定接点部３ａと、円環状に形成された第１固定接点部３ａの中心位置に形成され、可動接点部材１の接触部１ｃと接触可能な第２固定接点部３ｂと、を有する。第１固定接点部３ａと第２固定接点部３ｂとは絶縁されており、それぞれ外部と電気的に接続可能な外部接続端子３ｃに接続されている。
【００２９】
駆動体４は、合成樹脂材からなり、図５に示すように、円盤状に形成されたベース部４ａと、ベース部４ａの上面（Ｚ１方向側の面）の中央に上方へ突出し、円柱状に形成された操作部４ｂと、ベース部４ａを挟んで操作部４ｂと対向する位置（下面の中央）に円柱状に形成された押圧部４ｃと、を有する。円柱状に形成された押圧部４ｃの直径寸法は、可動接点部材１の開口部１ｄの直径寸法よりも大きく形成されている。
【００３０】
保持シート５は合成樹脂材からなり、図６に示すように、可撓性を有し長方形のシート状に形成されたシート部５ａを有し、シート部５ａは可動接点部材１を覆うことが可能な大きさに形成されている。また、保持シート５は、シート部５ａの一方の面（Ｚ２方向側の面）に粘着剤からなる粘着層５ｂが形成されている。ただし、保持シート５の一方の面の中心部には、粘着剤が塗布されていない非粘着部５ｃが形成されている。非粘着部５ｃは、可動接点部材１の開口部１ｄとほぼ同一の大きさおよび形状に形成されている。
【００３１】
カバー部材６は、金属板からなり、図１および図２に示すように、中空で下方（Ｚ２方向側）が開放した直方体の箱状に形成されている。カバー部材６は、長方形の平板状に形成された天面部６ａを有し、天面部６ａには駆動体４の操作部４ｂを挿入可能な挿通孔６ｂが形成されている。天面部６ａの四辺には、天面部６ａに連続して下方（Ｚ２方向）へ延設された側壁６ｃが形成されている。
【００３２】
次にスイッチ装置１００の構造について図２を用いて説明する。
【００３３】
図２に示すように、可動接点部材１は脚部１ｂがそれぞれ第１固定接点部３ａに接するように基板２の上に配置されている。また、可動接点部材１に重ねて保持シート５が配置されており、保持シート５は粘着層５ｂが可動接点部材１と接触する向きにして配置されるとともに、非粘着部５ｃは可動接点部材１の開口部１ｄに対向して配置されている。このように配置された保持シート５が可動接点部材１に粘着するとともに、基板２に粘着することで、可動接点部材１は基板２上に係止される。なお、保持シート５は可撓性を有しているため、可動接点部材１は保持シート５と一体に上下方向（Ｚ１−Ｚ２方向）へ変形可能に係止されている。駆動体４は、押圧部４ｃが可動接点部材１の開口部１ｄ（接触部１ｃ）に対向するように、保持シート５に重ねて配置されている。また、駆動体４の操作部４ｂは、カバー部材６の挿通孔６ｂに、側壁６ｃが延設される側から挿入して配置され、カバー部材６は側壁６ｃが基板２に当接するように基板２上に係止されている。これにより、駆動体４は、上下方向に移動可能に、カバー部材６と保持シート５（可動接点部材１）との間に保持されている。このようにしてスイッチ装置１００は形成される。
【００３４】
次にスイッチ装置１００の動作について図２、図７および図８を用いて説明する。図７は駆動体４が押圧操作され、接触部１ｃと第２固定接点部３ｂとが接触した状態のスイッチ装置１００を示す模式断面図である。図８は図７に示す状態からさらに駆動体４が押圧操作され、ドーム部１ａが反転した状態のスイッチ装置１００を示す模式断面図である。なお、図７および図８においては、説明を容易にするため、実際の形状や断面と異なる部分もある。
【００３５】
スイッチ装置１００が操作されていないとき（初期状態）においては、図２に示すように、可動接点部材１は第１固定接点部３ａとは接触しているが、第２固定接点部３ｂとは離間した状態である。すなわち、第１固定接点部３ａと第２固定接点部３ｂとの間には電気的な導通がない状態である。
【００３６】
図２に示す状態から駆動体４の操作部４ｂを下方に押圧すると、駆動体４の押圧部４ｃは保持シート５を介して可動接点部材１を押圧する。なお、押圧部４ｃの直径寸法は、可動接点部材１の開口部１ｄの直径寸法よりも大きく形成されているため、押圧部４ｃは開口部１ｄの外周端部付近のドーム部１ａを押圧する。下方へ押圧されたドーム部１ａは下方へ撓む。ドーム部１ａの撓みに連動して、接触部１ｃは下方へ移動し、図７に示すように、第２固定接点部３ｂと接触する。すなわち、第１固定接点部３ａと第２固定接点部３ｂとの間は、可動接点部材１を介して電気的に導通される。
【００３７】
図７に示す状態からさらに駆動体４の操作部４ｂを下方に押圧すると、第１固定接点部３ａと第２固定接点部３ｂとの間の電気的な導通を保持したまま、ドーム部１ａはさらに下方へ撓むとともに、腕部１ｆも下方へ撓み、図８に示すように、ドーム部１ａは反転する。反転は瞬間的に行なわれ、押圧に抗する力が急激に変化するため、駆動体４を介して操作者に操作感触として伝わる。前述の通り、電気的なスイッチングを行なった後に、操作感触を発生させる構造となっているスイッチ装置を、オーバーストロークに対応したスイッチ装置と定義している。したがって、本実施形態のスイッチ装置１００は、電気的なスイッチングを行なった後に、操作感触を発生させる構造であることから、オーバーストロークに対応していると言える。なお、操作部４ｂへの押圧を解除すると、可動接点部材１の弾性力により、初期状態に復帰し、第１固定接点部３ａと第２固定接点部３ｂとの間の電気的な導通はなくなる。このように第１固定接点部３ａと第２固定接点部３ｂとの間の電気的な導通状態が切り換わることでスイッチ装置として機能する。
【００３８】
以下、本実施形態としたことによる効果について説明する。
【００３９】
本実施形態の可動接点部材１では、膨出して形成されたドーム部１ａと、ドーム部１ａの外縁部に設けられドーム部１ａを支持する脚部１ｂと、操作に応じて移動可能な接触部１ｃと、を有する可動接点部材であり、ドーム部１ａは頂部に開口部１ｄを有しており、接触部１ｃは、膨出する方向からの平面視で開口部１ｄの中央位置に配置されるとともに、ドーム部１ａに撓み変形可能な連結部１ｅにより連結され、ドーム部１ａの内方へ突出している、構成とした。
【００４０】
これにより、脚部１ｂはドーム部１ａを保持する機能に特化することで、脚部１ｂの長さを長くした場合にも安定してドーム部１ａを保持することができ、ドーム部１ａの傾きによる操作感触のバラツキが発生し難い。また、接触部１ｃをドーム部１ａの中央位置に設け、ドーム部１ａの内方へ突出して形成することで、可動接点部材１を押圧操作したときに、接触部１ｃが接触した後に連結部１ｅおよびドーム部１ａが撓み、ドーム部１ａが反転するため、オーバーストロークに対応することができる。したがって、操作感触がばらつき難く、オーバーストロークに対応することができる可動接点部材１を提供することができる、という効果を奏する。
【００４１】
また、本実施形態の可動接点部材１では、脚部１ｂは、所定の間隔で配置された２つが対を成し、２組形成されており、連結部１ｅは、桟状に形成された複数の腕部１ｆからなる、構成とした。
【００４２】
このように脚部１ｂを配置することで、ドーム部１ａをバランスよく支持することができる。また、複数の腕部１ｆで接触部１ｃを支持することで、接触部１ｃをバランスよく支持することができる。したがって、押圧操作時の姿勢がより安定し操作感触のばらつきが発生し難くなる、という効果を奏する。
【００４３】
また、本実施形態の可動接点部材１では、対を成す脚部１ｂの所定の間隔は、ドーム部１ａの直径以下の寸法とした。これにより、少なくともある方向における可動接点部材１の寸法はドーム部１ａの直径以下に抑えられるので、スイッチ装置に可動接点部材１を配置した時の占有面積を小さくすることできる。したがって、小型のスイッチ装置にも対応しやすいという効果を奏する。さらに、所定の間隔をドーム部１ａの直径の寸法とほぼ同一とすることで、小型のスイッチ装置にも対応しやすくなるとともに、可動接点部材１は傾いたりし難くなり、基板２上に安定した配置をしやすくなるという効果を奏する。
【００４４】
また、本実施形態の可動接点部材１では、ドーム部１ａは、膨出する方向からの平面視で円形状であり、開口部１ｄとドーム部１ａとの境界部である開口部１ｄの外方部１ｇは、ドーム部１ａの円形状に相似した円弧形状となっている、構成とした。
【００４５】
これにより、開口部１ｄの外方部１ｇをドーム部１ａの円形状に相似した円弧形状とすることで、押圧操作時に応力が特定の箇所に集中し難くなり、応力集中による操作感触のばらつきを低減することができる、という効果を奏する。
【００４６】
本実施形態の可動接点部材１を用いたスイッチ装置１００では、操作感触がばらつき難く、オーバーストロークに対応することができる可動接点部材１と、可動接点部材１と電気的に接続可能な固定接点部３を備えた基板２と、を有する、構成とした。
【００４７】
これにより、操作感触がばらつき難い可動接点部材１を用いることで、操作感触がばらつき難く、オーバーストロークに対応可能なスイッチ装置を提供することができる、という効果を奏する。
【００４８】
本実施形態の可動接点部材１を用いたスイッチ装置１００では、保持シート５は、非粘着部５ｃが可動接点部材１の開口部１ｄに対向して配置される構造とした。これにより、連結部１ｅ（腕部１ｆ）は粘着層５ｂには接触しないため、粘着層５ｂの粘着力により連結部１ｅ（腕部１ｆ）の動作に悪影響を及ぼし難くなるという効果を奏する。
【００４９】
以上のように、本発明の実施形態に係る可動接点部材および可動接点部材を用いたスイッチ装置を具体的に説明したが、本発明は上記の実施形態に限定されるものではなく、要旨を逸脱しない範囲で種々変更して実施することが可能である。例えば次のように変形して実施することができ、これらの実施形態も本発明の技術的範囲に属する。
【００５０】
（１）本実施形態の可動接点部材１において、連結部１ｅは、図３に示すように、桟状に形成された複数の腕部１ｆからなり、接触部１ｃの周囲に等間隔に３つの腕部１ｆが配置され、放射線状に延出して形成されている構造としたが、腕部１ｆの数や形状などを変えたものでも良い。例えば、連結部１ｅは、図３に示した形状ではなく、図９ないし図１１に示すような構造であっても良い。なお、図９は本実施形態における可動接点部材１の変形例の一つを示す平面図である。図１０は可動接点部材１の変形例の一つを示す平面図である。図１１は可動接点部材１の変形例の一つを示す平面図である。図９に示す変形例においては、連結部１ｅは、接触部１ｃの周囲に等間隔に３つの腕部１ｆが配置され、腕部１ｆはそれぞれ蛇行するように延出して形成されている。なお、腕部１ｆは同一形状に形成されている。図１０に示す変形例においては、連結部１ｅは、接触部１ｃを挟んで対称な位置に１つずつ腕部１ｆが配置され、腕部１ｆはそれぞれ蛇行するように延出して形成されている。なお、腕部１ｆは同一形状に形成されている。図９および図１０に示す変形例のように、腕部１ｆを蛇行するように延出して形成することで、放射線状に延出させた場合に比べて、腕部１ｆの長さを長く取ることができるため、腕部１ｆの撓み量を大きくすることができる。図１１に示す変形例においては、連結部１ｅは、接触部１ｃの周囲に１つの腕部１ｆが配置され、腕部１ｆは直線状に延出して形成されている。腕部１ｆが１つしかないが、図３、図９および図１０に示す形状にした場合と同様の効果が得られる。
【００５１】
（２）本実施形態のスイッチ装置１００において、可動接点部材１、固定接点部３等の数は１つとしたが、可動接点部材１、固定接点部３等の数を増やして、複数のスイッチング操作が可能な構造としても良い。
【００５２】
（３）本実施形態のスイッチ装置１００において、基板２はリジット基板としているが、用途に応じてフレキシブル基板を用いても良い。
【００５３】
（４）本実施形態のスイッチ装置１００において、固定接点部３を基板２に印刷して設ける構造としたが、固定接点部３を金属板で形成し、固定接点部３を合成樹脂材にインサート成形して基板２を形成する構造でも良い。
【００５４】
（５）本実施形態のスイッチ装置１００において、駆動体４の押圧部４ｃは円柱状に形成されているが、外方部１ｇ（開口部１ｄ）の周囲のドーム部１ａを押圧可能であれば、押圧部４ｃは円筒状に形成されていてもよい。
【００５５】
（６）本実施形態のスイッチ装置１００において、可動接点部材１は、第１固定接点部３ａと第２固定接点部３ｂとを電気的に導通させる機能を持っているが、以下に示すように操作時の感触だしの板ばねとして使用しても良い。例えば、メンブレンスイッチの接点部の上方に可動接点部材１を配置し、可動接点部材１を介してメンブレンスイッチの接点部を操作する構成のスイッチ装置とする。このような構成とすることで、可動接点部材１は、メンブレンスイッチの接点部を押圧するアクチュエータとして機能するとともに、メンブレンスイッチにオーバーストロークの機能（操作感触）を持たせることができる。したがって、オーバーストロークに対応可能なメンブレンスイッチを提供することができる、という効果を奏する。
【符号の説明】
【００５６】
１      可動接点部材
１ａ    ドーム部
１ｂ    脚部
１ｃ    接触部
１ｄ    開口部
１ｅ    連結部
１ｆ    腕部
１ｇ    外方部
２      基板
３      固定接点部
３ａ    第１固定接点部
３ｂ    第２固定接点部
３ｃ    外部接続端子
４      駆動体
４ａ    ベース部
４ｂ    操作部
４ｃ    押圧部
５      保持シート
５ａ    シート部
５ｂ    粘着層
５ｃ    非粘着部
６      カバー部材
６ａ    天面部
６ｂ    挿通孔
６ｃ    側壁
１００  スイッチ装置
【図１】
2014220130.tif 000003
【図２】
2014220130.tif 000004
【図３】
2014220130.tif 000005
【図４】
2014220130.tif 000006
【図５】
2014220130.tif 000007
【図６】
2014220130.tif 000008
【図７】
2014220130.tif 000009
【図８】
2014220130.tif 000010
【図９】
2014220130.tif 000011
【図１０】
2014220130.tif 000012
【図１１】
2014220130.tif 000013
【図１２】
2014220130.tif 000014